(57)【特許請求の範囲】
【請求項１】
顧客識別情報と対応させて顧客情報を記憶する顧客情報データベースと、営業員による閲覧対象となる顧客についての顧客識別情報が与えられたときにこの顧客識別情報をキーとして前記顧客情報データベースに記憶された前記顧客情報の中から目的の顧客情報を検索する顧客情報検索手段とが、ホストコンピュータに設けられるとともに、このホストコンピュータの前記顧客情報検索手段による検索結果として得られた顧客情報を、営業員が操作する端末装置と前記ホストコンピュータとを中継するサーバを経由させて前記ホストコンピュータから通信回線を介して前記端末装置へ送信し、前記端末装置に設けられた表示手段の画面上に表示する処理を行う顧客情報表示処理手段を備えた顧客情報閲覧システムにおいて、
各営業員の担当する顧客についての顧客情報のうち顧客名を含む一部の情報を、前記顧客識別情報と対応させて、前記各営業員についての営業員識別情報と対応付けられて前記各営業員毎に個別に用意された各営業員専用の顧客名簿への登録情報として記憶する顧客名簿データベースが前記サーバに設けられ、
前記端末装置で営業員による顧客識別情報の入力を受け付けてこの顧客識別情報をキーとする顧客情報の検索処理を前記ホストコンピュータの前記顧客情報検索手段に行わせるために、前記顧客識別情報を、前記通信回線を介して前記サーバを経由させて前記ホストコンピュータの前記顧客情報検索手段へ送信する顧客識別情報入力受付手段が前記端末装置に設けられ、
前記端末装置の前記顧客識別情報入力受付手段により受け付けられた前記顧客識別情報をキーとする前記ホストコンピュータの前記顧客情報検索手段による検索結果として前記ホストコンピュータから前記通信回線を介して送信されてくる前記顧客情報を前記サーバで受信し、受信した前記顧客情報のうち顧客名を含む一部の情報を、前記顧客識別情報と対応させて、前記顧客識別情報の入力を行った営業員についての営業員識別情報と対応付けられた営業員専用の顧客名簿への登録情報として前記サーバの前記顧客名簿データベースに記憶させる顧客名簿作成手段が前記サーバに設けられ、
前記端末装置を操作する営業員の要求に応じて、前記サーバの前記顧客名簿データベースに記憶された前記顧客名簿のうち顧客情報を閲覧しようとしている営業員専用の顧客名簿として当該営業員についての営業員識別情報と対応付けられて前記サーバの前記顧客名簿データベースに記憶された顧客名簿を、前記サーバの前記顧客名簿データベースから取得して前記通信回線を介して前記端末装置へ送信し、前記端末装置で受信した前記顧客名簿を前記端末装置の前記表示手段の画面上に表示する処理を行う顧客名簿表示処理手段を備え、
この顧客名簿表示処理手段により前記端末装置の前記表示手段の画面上に表示された自己の顧客名簿を参照した営業員による前記顧客名簿内の顧客名の中からの閲覧対象の顧客名の選択入力を受け付けてこの顧客名に対応する顧客識別情報を前記顧客名簿から取得してこの顧客識別情報をキーとする顧客情報の検索処理を前記ホストコンピュータの前記顧客情報検索手段に行わせるために、前記顧客識別情報を、前記通信回線を介して前記サーバを経由させて前記ホストコンピュータの前記顧客情報検索手段へ送信する顧客名選択入力受付手段が前記端末装置に設けられている
ことを特徴とする顧客情報閲覧システム。
【請求項２】
前記サーバの前記顧客名簿データベースには、前記顧客識別情報と対応させて、前記顧客名とともに前記顧客識別情報をキーとする直近の検索処理が行われた検索日時が記憶され、
前記サーバの前記顧客名簿作成手段は、前記端末装置の前記顧客識別情報入力受付手段により受け付けられた前記顧客識別情報または前記端末装置の前記顧客名選択入力受付手段により取得された前記顧客識別情報をキーとする前記ホストコンピュータの前記顧客情報検索手段による検索処理が行われた場合に、キーとされた前記顧客識別情報に対応する前記検索日時を更新することにより、前記検索日時を最新の検索日時に保つとともに、前記検索日時が現時点から一定期間内であるか否かを判断し、現時点から一定期間内でない検索日時となっている顧客についての登録情報を前記顧客名簿から削除する構成とされていることを特徴とする請求項１に記載の顧客情報閲覧システム。
【請求項３】
前記サーバの前記顧客名簿データベースには、前記顧客識別情報と対応させて、前記顧客名とともに前記顧客識別情報をキーとする直近の検索処理が行われた検索日時が記憶され、
前記サーバの前記顧客名簿作成手段は、前記端末装置の前記顧客識別情報入力受付手段により受け付けられた前記顧客識別情報または前記端末装置の前記顧客名選択入力受付手段により取得された前記顧客識別情報をキーとする前記ホストコンピュータの前記顧客情報検索手段による検索処理が行われた場合に、キーとされた前記顧客識別情報に対応する前記検索日時を更新することにより、前記検索日時を最新の検索日時に保つとともに、前記顧客名簿への登録を行う際に、前記顧客名簿の顧客数が一定数を超える場合には、前記検索日時が最も古い日時の顧客についての登録情報を前記顧客名簿から削除する構成とされていることを特徴とする請求項１または２に記載の顧客情報閲覧システム。
【請求項４】
前記サーバの前記顧客名簿データベースには、前記顧客識別情報と対応させて、前記顧客名とともに顧客の住所が記憶され、
前記顧客名簿表示処理手段は、前記顧客名と対応させて前記住所を前記端末装置の前記表示手段の画面上に表示する処理を行う構成とされていることを特徴とする請求項１〜３のいずれかに記載の顧客情報閲覧システム。
【請求項５】
前記サーバの前記顧客名簿データベースには、前記顧客識別情報と対応させて、前記顧客名とともに顧客の電子メールアドレスが記憶され、
前記顧客名簿表示処理手段は、前記顧客名と対応させて前記電子メールアドレスを前記端末装置の前記表示手段の画面上に表示する処理を行う構成とされ、
前記端末装置の前記表示手段の画面上に表示された前記電子メールアドレスの選択操作が行われたときにこの電子メールアドレスを送信先とする電子メールの作成画面を前記端末装置の前記表示手段の画面上に表示する処理を行う電子メール作成画面表示処理手段が前記端末装置に設けられていることを特徴とする請求項１〜４のいずれかに記載の顧客情報閲覧システム。
【請求項６】
前記サーバの前記顧客名簿データベースには、前記顧客識別情報と対応させて、前記顧客名とともに顧客の電話番号が記憶され、
前記顧客名簿表示処理手段は、前記顧客名と対応させて前記電話番号を前記端末装置の前記表示手段の画面上に表示する処理を行う構成とされ、
前記端末装置の前記表示手段の画面上に表示された前記電話番号の選択操作が行われたときにこの電話番号に電話をかける処理を行う通話処理手段が前記端末装置に設けられていることを特徴とする請求項１〜５のいずれかに記載の顧客情報閲覧システム。
【請求項７】
前記顧客名簿表示処理手段は、営業員の選択操作に従って前記顧客名簿内の顧客名の並び順を顧客名のあいうえお順と検索日時順とで切替表示が可能な構成とされていることを特徴とする請求項１〜６のいずれかに記載の顧客情報閲覧システム。
【請求項８】
顧客識別情報と対応させて顧客情報をホストコンピュータに設けられた顧客情報データベースに記憶させておき、営業員が顧客情報を閲覧する際に、前記ホストコンピュータに設けられた顧客情報検索手段が、与えられた顧客識別情報をキーとして前記ホストコンピュータの前記顧客情報データベースに記憶された前記顧客情報の中から目的の顧客情報を検索し、顧客情報表示処理手段が、前記ホストコンピュータの前記顧客情報検索手段による検索結果として得られた顧客情報を、営業員が操作する端末装置と前記ホストコンピュータとを中継するサーバを経由させて前記ホストコンピュータから通信回線を介して前記端末装置へ送信し、前記端末装置に設けられた表示手段の画面上に表示する顧客情報提示方法において、
前記端末装置に設けられた顧客識別情報入力受付手段が、前記端末装置で営業員による顧客識別情報の入力を受け付けてこの顧客識別情報を、前記通信回線を介して前記サーバを経由させて前記ホストコンピュータの前記顧客情報検索手段へ送信し、
前記ホストコンピュータの前記顧客情報検索手段が、前記端末装置の前記顧客識別情報入力受付手段により受け付けた前記顧客識別情報をキーとする顧客情報の検索処理を行い、
前記サーバに設けられた顧客名簿作成手段が、前記端末装置の前記顧客識別情報入力受付手段により受け付けられた前記顧客識別情報をキーとする前記ホストコンピュータの前記顧客情報検索手段による検索結果として前記ホストコンピュータから前記通信回線を介して送信されてくる前記顧客情報を前記サーバで受信し、受信した前記顧客情報のうち顧客名を含む一部の情報を、前記顧客識別情報と対応させて、前記顧客識別情報の入力を行った営業員についての営業員識別情報と対応付けられた営業員専用の顧客名簿への登録情報として前記サーバに設けられた顧客名簿データベースに記憶させ、
その後、顧客名簿表示処理手段が、前記端末装置を操作する営業員の要求に応じて、前記サーバの前記顧客名簿データベースに記憶された前記顧客名簿のうち顧客情報を閲覧しようとしている営業員専用の顧客名簿として当該営業員についての営業員識別情報と対応付けられて前記サーバの前記顧客名簿データベースに記憶された顧客名簿を、前記サーバの前記顧客名簿データベースから取得して前記通信回線を介して前記端末装置へ送信し、前記端末装置で受信した前記顧客名簿を前記端末装置の前記表示手段の画面上に表示する処理を行い、
前記端末装置に設けられた顧客名選択入力受付手段が、前記顧客名簿表示処理手段により前記端末装置の前記表示手段の画面上に表示された自己の顧客名簿を参照した営業員による前記顧客名簿内の顧客名の中からの閲覧対象の顧客名の選択入力を受け付け、この顧客名に対応する顧客識別情報を前記顧客名簿から取得してこの顧客識別情報を、前記通信回線を介して前記サーバを経由させて前記ホストコンピュータの前記顧客情報検索手段へ送信し、
前記ホストコンピュータの前記顧客情報検索手段が、前記端末装置の前記顧客名選択入力受付手段により取得された前記顧客識別情報をキーとする顧客情報の検索処理を行う
ことを特徴とする顧客情報提示方法。
【請求項９】
請求項１〜７のいずれかに記載の顧客情報閲覧システムとして、コンピュータを機能させるためのプログラム。
【発明の詳細な説明】
【技術分野】
【０００１】
本発明は、営業員が顧客情報データベースに記憶された顧客情報を閲覧するための顧客情報閲覧システムおよび顧客情報提示方法、並びにプログラムに係り、例えば、証券会社や証券仲介業を営む金融機関の営業員が顧客情報を閲覧する場合等に利用できる。
【背景技術】
【０００２】
一般に、証券会社では、１人の営業員が多数の顧客を担当している。そして、各営業員は、自己の担当する各顧客と頻繁に連絡をとり、各顧客と様々な情報のやりとりを行っている。例えば、顧客から注文を受けると、その注文を受けた取引の現在の約定の状態等について顧客から確認の問い合わせを受けたり、あるいは顧客に現在の約定の状態等を報告したりする。また、顧客から残高情報等について確認の問い合わせを受けたり、顧客の登録情報を参照しなければならない場合等もある。
【０００３】
このような場合、営業員は、自己の端末装置を操作し、ホストコンピュータに設けられた顧客情報データベースにアクセスすることで、注文や問い合わせを受けた顧客についての顧客情報を参照して把握し、その顧客に対して回答や報告を行う。この際、顧客情報データベースへアクセスするには、営業員は、口座コードを入力する必要がある。１人の顧客に対し、１つの口座コードが付されているので、口座コードは、各顧客を識別する顧客識別情報として機能するものである。
【０００４】
また、同姓同名の顧客が存在することから、顧客名ではなく口座コードが顧客識別情報とされているが、営業員が、自己の顧客の顧客情報を参照したいときにその顧客の口座コードがわからない場合には、顧客カナ名等を入力し、顧客情報データベースを検索することで、口座コードを把握することができるようになっている。例えば、営業員が端末装置で顧客カナ名を入力すると、この顧客カナ名がサーバを介してホストコンピュータに送信され、ホストコンピュータで、顧客カナ名をキーとして顧客情報データベースの検索が行われる。そして、顧客カナ名に対応する口座コードが検索結果として得られたら、その口座コードがホストコンピュータからサーバを介して端末装置へ送信され、画面表示される。ここで、同姓同名の顧客が存在する場合には、１つの顧客名に対し、複数の口座コードが表示されることになるが、口座コードのみならず、住所等の情報も画面表示されるので、営業員は、顧客名と住所等の情報とを組み合わせることで目的の顧客の口座コードを特定し、把握することができる。
【０００５】
なお、本発明の周辺技術として、金融機関の顧客情報の管理という面では、顧客の口座番号および顧客名を含む定期・普通混在型口座の情報を記憶する口座管理方法がある（特許文献１参照）。また、検索・閲覧の容易化という面では、アクセスしてくる登録会員個々の検索閲覧行動を記録し、この検索閲覧行動記録から、閲覧したＷｅｂページのＵＲＬや検索結果のＷｅｂページのＵＲＬを取り込み、その個人専用に特化したブックマークを自動作成し、登録会員がアクセスしてきたときに、ブックマーク用ＵＲＬリストの各ＵＲＬに該当するＷｅｂページをハイパーリンクさせたブックマーク表示画面構成データを登録会員の操作するクライアント・コンピュータに送出して表示させることにより、登録会員が、ブックマークを利用して所望のＷｅｂページを容易に再閲覧できるようにしたＷＷＷサーバがある（特許文献２参照）。
【０００６】
【特許文献１】特開２００４−３４１５７９号公報（段落［００２１］、図２）
【特許文献２】特開２００２−９９５６８号公報（段落［０００７］〜［００１０］、［００１６］、［００２０］、要約）
【発明の開示】
【発明が解決しようとする課題】
【０００７】
前述したように、営業員は、顧客から注文や問い合わせを受けたときに、端末装置で口座コードを入力して顧客情報データベースにアクセスすることにより顧客情報を把握し、顧客に応対する。
【０００８】
しかし、１人の営業員が担当する顧客は、数百人になることがあり、これらの顧客の口座コードを覚えておくことは不可能である。従って、前述したように、営業員は、顧客から注文や問い合わせを受けると、端末装置で顧客カナ名等を入力して顧客情報データベースの検索を行うことにより、目的の顧客の口座コードを特定して把握し（同姓同名の顧客が存在するので、複数の口座コードの中からの特定作業が発生する場合がある。）、その後、把握した口座コードを入力して顧客情報を把握するという作業手順をとっている。このような２段階の検索を行う作業手順は、手間がかかるうえ、顧客への応対の迅速性を確保するうえでも好ましくない。
【０００９】
一方、日常業務においては、比較的短い期間をとってみると、取引のある顧客の数は、ある程度の数に限られており、かつ、同じ顧客について、週に数回の顧客情報データベースへのアクセスが発生している。このため、営業員は、短期間のうちに何回か応対しなければならない顧客の口座コードについては、一旦、検索して把握した後には、付箋紙に書いて自己の端末装置等に貼り付けておいたり、自己のノートに書き留めておく等の対応をとっている場合もある。しかし、このような対応も、営業員にとっては、手間がかかることに変わりはないので、このような手間をなくし、顧客情報閲覧システムの使い勝手の向上を図ることが望まれる。
【００１０】
また、インターネットに関する一般的な技術としては、ユーザによるＷｅｂページの再閲覧を容易にするために、Ｗｅｂブラウザに「お気に入り」としてユーザ自身が利用頻度の高いＷｅｂページのＵＲＬやサイト名を登録しておくことができる機能や、前述した特許文献２のように個人専用に特化したブックマークをＷＷＷサーバで自動作成して記憶しておく機能が開発・提案されているものの、多数の顧客を抱える営業員が自己の担当する顧客の顧客情報を迅速に閲覧する必要があるという状況下で、この場合の特殊事情を考慮し、営業員の日常業務を円滑にするようにした閲覧ツールは、未だ開発されていないのが現状である。
【００１１】
本発明の目的は、顧客情報データベースへのアクセス時間の短縮、営業員の手間の軽減、使い勝手の向上を図ることができる顧客情報閲覧システムおよび顧客情報提示方法、並びにプログラムを提供するところにある。
【課題を解決するための手段】
【００１２】
本発明は、顧客識別情報と対応させて顧客情報を記憶する顧客情報データベースと、営業員による閲覧対象となる顧客についての顧客識別情報が与えられたときにこの顧客識別情報をキーとして顧客情報データベースに記憶された顧客情報の中から目的の顧客情報を検索する顧客情報検索手段と、この顧客情報検索手段による検索結果として得られた顧客情報を表示手段の画面上に表示する処理を行う顧客情報表示処理手段とを備えた顧客情報閲覧システムにおいて、各営業員の担当する顧客についての顧客情報のうち顧客名を含む一部の情報を、顧客識別情報と対応させて、各営業員毎に個別に用意された各営業員専用の顧客名簿への登録情報として記憶する顧客名簿データベースと、営業員による顧客識別情報の入力を受け付けてこの顧客識別情報をキーとする顧客情報の検索処理を顧客情報検索手段に行わせるために顧客識別情報を顧客情報検索手段に送る顧客識別情報入力受付手段と、この顧客識別情報入力受付手段により受け付けられた顧客識別情報をキーとする顧客情報検索手段による検索結果として得られた顧客情報のうち顧客名を含む一部の情報を、顧客識別情報と対応させて、顧客識別情報の入力を行った営業員専用の顧客名簿への登録情報として顧客名簿データベースに記憶させる顧客名簿作成手段と、顧客名簿データベースに記憶された顧客名簿のうち顧客情報を閲覧しようとしている営業員専用の顧客名簿を表示手段の画面上に表示する処理を行う顧客名簿表示処理手段と、この顧客名簿表示処理手段により表示手段の画面上に表示された自己の顧客名簿を参照した営業員による顧客名簿内の顧客名の中からの閲覧対象の顧客名の選択入力を受け付けてこの顧客名に対応する顧客識別情報を顧客名簿から取得してこの顧客識別情報をキーとする顧客情報の検索処理を顧客情報検索手段に行わせるために顧客識別情報を顧客情報検索手段に送る顧客名選択入力受付手段とを備えたことを特徴とするものである。
【００１３】
ここで、「顧客名簿表示処理手段」により表示手段の画面上に表示される「顧客名簿」には、顧客名が含まれていればよく、顧客識別情報は必ずしも表示手段の画面上に表示される必要はない。また、「顧客名簿表示処理手段」により表示手段の画面上に表示される顧客名簿の「顧客名」は、例えば、ひらがな、カタカナ、漢字、ローマ字等、いずれの表示でもよい。
【００１４】
また、「顧客識別情報入力受付手段」による「顧客識別情報の入力」、および「顧客名選択入力受付手段」による「顧客名の選択入力」は、例えば、マウスのクリック操作による入力、キー入力、タッチパネルによる入力、音声入力等、いずれの入力方法でもよい。
【００１５】
さらに、「顧客名の選択入力」とは、マウスのクリック操作による入力やタッチパネルによる入力の場合等には、顧客名の表示部分の真上をクリックしたり、タッチすることに限定されず、例えば、目的の顧客名を含む画面領域、あるいは目的の顧客名に対応する画面領域をクリックしたり、タッチしてもよく、結果的にその顧客名が選択されたことになればよい。そして、キー入力や音声入力等の場合には、顧客名そのものを入力することに限定されず、例えば、「１．大和太郎…」、「２．大和花子…」等の表示となっていれば、目的の顧客名に対応する番号や記号（「１」や「２」等）を入力してもよく、結果的にその顧客名が選択されたことになればよい。
【００１６】
このような本発明の顧客情報閲覧システムにおいては、営業員が、一旦、顧客識別情報（例えば、口座コード等）を入力して顧客情報データベースの検索を行い、顧客情報を閲覧すれば、その顧客の顧客名と顧客識別情報とが、その営業員専用の顧客名簿に登録されて顧客名簿データベースに記憶されるので、次回からは、営業員は、顧客識別情報を入力しなくても、表示手段の画面上に表示された自己の顧客名簿内の顧客名の中から閲覧対象の顧客名を選択することでその顧客の顧客情報を閲覧することが可能となる。このため、顧客識別情報がわからなくても、顧客カナ名等を入力して顧客識別情報を検索する作業を行う必要がなくなり、また、付箋紙に顧客識別情報を書いて端末装置に貼り付けたり、自分のノートに顧客識別情報を書き留めておく等の作業を行う必要もなくなる。従って、自己の顧客についての顧客情報を閲覧するにあたり、顧客情報データベースへのアクセス時間が短縮され、顧客に対して迅速な応対をすることが可能となるうえ、営業員の手間が軽減され、システムの使い勝手の向上が図られ、これらにより前記目的が達成される。
【００１７】
また、前述した顧客情報閲覧システムにおいて、顧客名簿データベースには、顧客識別情報と対応させて、顧客名とともに顧客識別情報をキーとする直近の検索処理が行われた検索日時が記憶され、顧客名簿作成手段は、顧客識別情報入力受付手段により受け付けられた顧客識別情報または顧客名選択入力受付手段により取得された顧客識別情報をキーとする顧客情報検索手段による検索処理が行われた場合に、キーとされた顧客識別情報に対応する検索日時を更新することにより、検索日時を最新の検索日時に保つとともに、検索日時が現時点から一定期間内であるか否かを判断し、現時点から一定期間内でない検索日時となっている顧客についての登録情報を顧客名簿から削除する構成とされていることが望ましい。
【００１８】
ここで、「顧客名選択入力受付手段により取得された顧客識別情報」のみならず、「顧客識別情報入力受付手段により受け付けられた顧客識別情報」をキーとする顧客情報検索手段による検索処理が行われた場合についても、検索日時が更新されることがある記載とされているのは、既に顧客名簿に登録されている顧客についての顧客情報を閲覧する際に、顧客名簿内の顧客名の中から閲覧対象の顧客名を選択入力するのではなく、顧客識別情報を入力して閲覧を行う場合もあり得ることを考慮したものである。
【００１９】
このように現時点から一定期間内でない検索日時となっている顧客についての登録情報を顧客名簿から削除する構成とした場合には、顧客情報を閲覧する必要のなくなった顧客または閲覧する可能性の少なくなった顧客についての登録情報を、その顧客を担当する営業員専用の顧客名簿から削除することができるので、顧客名簿内の顧客名の数を適宜な数に保つことが可能となる。このため、顧客名簿内の顧客名の中から目的の顧客名を選択する作業が容易になり、アクセス時間がより短縮されるうえ、顧客名簿データベースの記憶容量を低く抑えることが可能となる。従って、営業員とこの営業員が担当する任意の１人の顧客とのやりとりが、比較的、ある一定期間内に集中するという事情や、営業員の応対すべき顧客が、期間の経過とともに移り変わっていくという事情等を考慮したシステム運用を図ることが可能となる。
【００２０】
また、前述した顧客情報閲覧システムにおいて、顧客名簿データベースには、顧客識別情報と対応させて、顧客名とともに顧客識別情報をキーとする直近の検索処理が行われた検索日時が記憶され、顧客名簿作成手段は、顧客識別情報入力受付手段により受け付けられた顧客識別情報または顧客名選択入力受付手段により取得された顧客識別情報をキーとする顧客情報検索手段による検索処理が行われた場合に、キーとされた顧客識別情報に対応する検索日時を更新することにより、検索日時を最新の検索日時に保つとともに、顧客名簿への登録を行う際に、顧客名簿の顧客数が一定数を超える場合には、検索日時が最も古い日時の顧客についての登録情報を顧客名簿から削除する構成としてもよい。
【００２１】
このように顧客名簿の顧客数が一定数を超えたら検索日時が最も古い日時の顧客についての登録情報を顧客名簿から削除する構成とした場合には、顧客情報を閲覧する必要のなくなった顧客または閲覧する可能性の少なくなった顧客についての登録情報を、その顧客を担当する営業員専用の顧客名簿から削除することができるので、顧客名簿内の顧客名の数を適宜な数に保つことが可能となる。このため、顧客名簿内の顧客名の中から目的の顧客名を選択する作業が容易になり、アクセス時間がより短縮されるうえ、顧客名簿データベースの記憶容量を低く抑えることが可能となる。従って、この場合にも、営業員とこの営業員が担当する任意の１人の顧客とのやりとりが、比較的、ある一定期間内に集中するという事情や、営業員の応対すべき顧客が、期間の経過とともに移り変わっていくという事情等を考慮したシステム運用を図ることが可能となる。
【００２２】
なお、上記のような顧客名簿の顧客数が一定数を超えたら検索日時が最も古い日時の顧客についての登録情報を顧客名簿から削除する構成と、前述した現時点から一定期間内でない検索日時となっている顧客についての登録情報を顧客名簿から削除する構成とは、組み合わせて適用すれば、より効果的である。
【００２３】
さらに、前述した顧客情報閲覧システムにおいて、顧客名簿データベースには、顧客識別情報と対応させて、顧客名とともに顧客の住所が記憶され、顧客名簿表示処理手段は、顧客名と対応させて住所を表示手段の画面上に表示する処理を行う構成とされていることが望ましい。
【００２４】
このように顧客名と合わせて住所を画面表示して顧客名の選択入力を行わせる構成とした場合には、営業員は、顧客名と住所とを関連付けながら記憶していることがあるので、閲覧対象としたい顧客を、容易に特定することが可能となるうえ、同姓同名の顧客が存在する場合でも、住所を参照することで目的の顧客名を容易に特定することが可能となる。このため、アクセス時間が、より一層短縮される。
【００２５】
そして、前述した顧客情報閲覧システムにおいて、顧客名簿データベースには、顧客識別情報と対応させて、顧客名とともに顧客の電子メールアドレスが記憶され、顧客名簿表示処理手段は、顧客名と対応させて電子メールアドレスを表示手段の画面上に表示する処理を行う構成とされ、表示手段の画面上に表示された電子メールアドレスの選択操作が行われたときにこの電子メールアドレスを送信先とする電子メールの作成画面を表示手段の画面上に表示する処理を行う電子メール作成画面表示処理手段を備えていることが望ましい。
【００２６】
ここで、「電子メールの作成画面を表示手段の画面上に表示する処理」には、既存のメーラー（電子メール閲覧プログラム）を立ち上げる処理も含まれる。
【００２７】
このように電子メール作成画面表示処理手段を備えた構成とした場合には、顧客へ送信する電子メールの作成を容易に行うことができるようになり、例えば、顧客情報を閲覧後に、閲覧した内容を電子メールで顧客に報告する作業を容易に行うことが可能となり、営業員の手間が、より一層軽減される。
【００２８】
また、前述した顧客情報閲覧システムにおいて、顧客名簿データベースには、顧客識別情報と対応させて、顧客名とともに顧客の電話番号が記憶され、顧客名簿表示処理手段は、顧客名と対応させて電話番号を表示手段の画面上に表示する処理を行う構成とされ、表示手段の画面上に表示された電話番号の選択操作が行われたときにこの電話番号に電話をかける処理を行う通話処理手段を備えていることが望ましい。
【００２９】
ここで、「通話処理手段」は、固定電話により顧客に電話をかける処理を行う構成でもよく、携帯電話（ＰＨＳも含む）により顧客に電話をかける処理を行う構成でもよい。
【００３０】
このように通話処理手段を備えた構成とした場合には、顧客に電話をかける作業を容易に行うことができるようになり、例えば、顧客情報を閲覧後に、閲覧した内容を電話で顧客に報告する作業を容易に行うことが可能となり、営業員の手間が、より一層軽減される。
【００３１】
さらに、前述した顧客情報閲覧システムにおいて、顧客名簿表示処理手段は、営業員の選択操作に従って顧客名簿内の顧客名の並び順を顧客名のあいうえお順と検索日時順とで切替表示が可能な構成とされていることが望ましい。
【００３２】
このように顧客名の並び順を顧客名のあいうえお順と検索日時順とで切替表示が可能な構成とした場合には、営業員の記憶、癖、イメージ、能力、個性等に応じて表示を切り替えることができるので、目的の顧客名の選択入力を迅速に行うことができるようになり、アクセス時間が、より一層短縮される。
【００３３】
そして、以上に述べた顧客情報閲覧システムは、コンピュータにより構築されるが、その構築形態は任意であり、例えば、（１）１台のコンピュータによるスタンドアロン型の構成としてもよく、（２）ネットワークで接続されたサーバ・クライアント型の構成としてもよく、（３）金融機関等で大規模な顧客情報管理に使用されるようなメインフレームによるホストコンピュータと端末装置とがサーバ経由で接続される構成としてもよく、（３）の構成とする場合には、例えば、次のような構成を採用することができる。
【００３４】
すなわち、以上に述べた顧客情報閲覧システムにおいて、顧客情報データベースと顧客情報検索手段とは、ホストコンピュータに設けられ、顧客名簿データベースは、営業員が操作する端末装置とホストコンピュータとを中継するサーバに設けられ、顧客識別情報入力受付手段は、端末装置で営業員により入力された顧客識別情報を通信回線を介してサーバを経由してホストコンピュータの顧客情報検索手段に送信する構成とされ、顧客名簿作成手段は、顧客情報検索手段による検索結果としてホストコンピュータから通信回線を介して送信されてくる顧客情報をサーバで受信し、サーバで顧客情報のうち顧客名を含む一部の情報を顧客名簿へ登録して顧客名簿データベースに記憶させる構成とされ、顧客名簿表示処理手段は、端末装置を操作する営業員の要求に応じてこの営業員専用の顧客名簿をサーバに設けられた顧客名簿データベースから取得して通信回線を介して端末装置へ送信し、端末装置で受信した顧客名簿を端末装置に設けられた表示手段の画面上に表示する処理を行う構成とされ、顧客名選択入力受付手段は、端末装置で営業員により選択入力された顧客名に対応する顧客識別情報を端末装置上の顧客名簿から取得し、取得した顧客識別情報を通信回線を介してサーバを経由してホストコンピュータの顧客情報検索手段に送信する構成とすることができる。
【００３５】
このようにホストコンピュータと端末装置とがサーバ経由で接続される構成とした場合には、このような形態による顧客情報管理が、比較的大規模なものであることが多いため、全体の顧客数が多く、かつ、営業員も多くなることから、アクセス時間の短縮等の本発明の効果が、より顕著に発揮される。
【００３６】
また、以上に述べた本発明の顧客情報閲覧システムにより実現される顧客情報提示方法として、以下のような本発明の顧客情報提示方法が挙げられる。
【００３７】
すなわち、本発明は、顧客識別情報と対応させて顧客情報を顧客情報データベースに記憶させておき、営業員が顧客情報を閲覧する際に、顧客情報検索手段が、与えられた顧客識別情報をキーとして顧客情報データベースに記憶された顧客情報の中から目的の顧客情報を検索し、顧客情報表示処理手段が、顧客情報検索手段による検索結果として得られた顧客情報を表示手段の画面上に表示する顧客情報提示方法において、顧客識別情報入力受付手段が、営業員による顧客識別情報の入力を受け付けてこの顧客識別情報を顧客情報検索手段に送り、顧客情報検索手段が、顧客識別情報入力受付手段により受け付けた顧客識別情報をキーとする顧客情報の検索処理を行い、顧客名簿作成手段が、顧客情報検索手段による検索結果として得られた顧客情報のうち顧客名を含む一部の情報を、顧客識別情報と対応させて、顧客識別情報の入力を行った営業員専用の顧客名簿への登録情報として顧客名簿データベースに記憶させ、その後、顧客名簿表示処理手段が、顧客名簿データベースに記憶された顧客名簿のうち顧客情報を閲覧しようとしている営業員専用の顧客名簿を表示手段の画面上に表示する処理を行い、顧客名選択入力受付手段が、前記顧客名簿表示処理手段により表示手段の画面上に表示された自己の顧客名簿を参照した営業員による顧客名簿内の顧客名の中からの閲覧対象の顧客名の選択入力を受け付け、この顧客名に対応する顧客識別情報を顧客名簿から取得してこの顧客識別情報を顧客情報検索手段に送り、顧客情報検索手段が、顧客名選択入力受付手段により取得された顧客識別情報をキーとする顧客情報の検索処理を行うことを特徴とするものである。
【００３８】
このような本発明の顧客情報提示方法においては、前述した本発明の顧客情報閲覧システムで得られる作用・効果がそのまま得られ、これにより前記目的が達成される。
【００３９】
また、ホストコンピュータと端末装置とをサーバ経由で接続する場合には、例えば、次のようにすることができる。すなわち、上述した顧客情報提示方法において、顧客情報データベースおよび顧客情報検索手段を、ホストコンピュータに設けるとともに、顧客名簿データベースを、営業員が操作する端末装置とホストコンピュータとを中継するサーバに設けておき、顧客識別情報入力受付手段により顧客識別情報の入力を受け付ける際には、端末装置で営業員により入力された顧客識別情報を通信回線を介してサーバを経由してホストコンピュータの顧客情報検索手段に送信し、顧客名簿作成手段により営業員専用の顧客名簿を作成する際には、顧客情報検索手段による検索結果としてホストコンピュータから通信回線を介して送信されてくる顧客情報をサーバで受信し、サーバで受信した顧客情報のうち顧客名を含む一部の情報を顧客名簿へ登録して顧客名簿データベースに記憶させ、その後、顧客名簿表示処理手段により顧客名簿を表示手段の画面上に表示する際には、端末装置を操作する営業員の要求に応じてこの営業員専用の顧客名簿をサーバに設けられた顧客名簿データベースから取得して通信回線を介して端末装置へ送信し、端末装置で受信した顧客名簿を端末装置に設けられた表示手段の画面上に表示する処理を行い、顧客名選択入力受付手段により顧客名の選択入力を受け付ける際には、端末装置で営業員により選択入力された顧客名に対応する顧客識別情報を端末装置上の顧客名簿から取得し、取得した顧客識別情報を通信回線を介してサーバを経由してホストコンピュータの顧客情報検索手段に送信するようにすることができる。
【００４０】
そして、本発明は、顧客識別情報と対応させて顧客情報を記憶する顧客情報データベースと、営業員による閲覧対象となる顧客についての顧客識別情報が与えられたときにこの顧客識別情報をキーとして顧客情報データベースに記憶された顧客情報の中から目的の顧客情報を検索する顧客情報検索手段と、この顧客情報検索手段による検索結果として得られた顧客情報を表示手段の画面上に表示する処理を行う顧客情報表示処理手段とを備えた顧客情報閲覧システムとして、コンピュータを機能させるためのプログラムにおいて、各営業員の担当する顧客についての顧客情報のうち顧客名を含む一部の情報を、顧客識別情報と対応させて、各営業員毎に個別に用意された各営業員専用の顧客名簿への登録情報として記憶する顧客名簿データベースと、営業員による顧客識別情報の入力を受け付けてこの顧客識別情報をキーとする顧客情報の検索処理を顧客情報検索手段に行わせるために顧客識別情報を顧客情報検索手段に送る顧客識別情報入力受付手段と、この顧客識別情報入力受付手段により受け付けられた顧客識別情報をキーとする顧客情報検索手段による検索結果として得られた顧客情報のうち顧客名を含む一部の情報を、顧客識別情報と対応させて、顧客識別情報の入力を行った営業員専用の顧客名簿への登録情報として顧客名簿データベースに記憶させる顧客名簿作成手段と、顧客名簿データベースに記憶された顧客名簿のうち顧客情報を閲覧しようとしている営業員専用の顧客名簿を表示手段の画面上に表示する処理を行う顧客名簿表示処理手段と、この顧客名簿表示処理手段により表示手段の画面上に表示された自己の顧客名簿を参照した営業員による顧客名簿内の顧客名の中からの閲覧対象の顧客名の選択入力を受け付けてこの顧客名に対応する顧客識別情報を顧客名簿から取得してこの顧客識別情報をキーとする顧客情報の検索処理を顧客情報検索手段に行わせるために顧客識別情報を顧客情報検索手段に送る顧客名選択入力受付手段とを備えたことを特徴とする顧客情報閲覧システムとして、コンピュータを機能させるためのものである。
【００４１】
なお、上記のプログラムまたはその一部は、例えば、光磁気ディスク（ＭＯ）、コンパクトディスク（ＣＤ）を利用した読出し専用メモリ（ＣＤ−ＲＯＭ）、ＣＤレコーダブル（ＣＤ−Ｒ）、ＣＤリライタブル（ＣＤ−ＲＷ）、デジタル・バーサタイル・ディスク（ＤＶＤ）を利用した読出し専用メモリ（ＤＶＤ−ＲＯＭ）、ＤＶＤを利用したランダム・アクセス・メモリ（ＤＶＤ−ＲＡＭ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等の記録媒体に記録して保存や流通等させることが可能であるとともに、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等の有線ネットワーク、あるいは無線通信ネットワーク、さらにはこれらの組合せ等の伝送媒体を用いて伝送することが可能であり、また、搬送波に載せて搬送することも可能である。さらに、上記のプログラムは、他のプログラムの一部分であってもよく、あるいは別個のプログラムと共に記録媒体に記録されていてもよい。
【発明の効果】
【００４２】
以上に述べたように本発明によれば、営業員が、一旦、顧客識別情報を入力して顧客情報データベースの検索を行い、顧客情報を閲覧すれば、その顧客の顧客名と顧客識別情報とが、その営業員専用の顧客名簿に登録されて顧客名簿データベースに記憶されるので、次回からは、営業員は、顧客識別情報を入力しなくても、表示手段の画面上に表示された自己の顧客名簿内の顧客名の中から閲覧対象の顧客名を選択することでその顧客の顧客情報を閲覧することができるため、顧客情報データベースへのアクセス時間の短縮、営業員の手間の軽減、システムの使い勝手の向上を図ることができるという効果がある。
【発明を実施するための最良の形態】
【００４３】
以下に本発明の一実施形態について図面を参照して説明する。図１には、本実施形態の顧客情報閲覧システム１０の全体構成が示されている。図２には、顧客情報閲覧システム１０の構成が、信号処理の流れやデータの流れとともに示されている。また、図３には、顧客名簿データベース５０の構造が示され、図４には、顧客情報データベース７０の構造が示されている。さらに、図５には、顧客情報閲覧システム１０により顧客情報の閲覧を行う際の処理の流れがフローチャートで示され、図６には、閲覧処理に伴う画面例が示されている。
【００４４】
図１および図２において、顧客情報閲覧システム１０は、通信回線であるネットワーク２にそれぞれ接続された１台または複数台の端末装置２０と、この端末装置２０とネットワーク２で接続されて端末装置２０の制御を行うサーバ４０と、通信回線である専用線３を介してサーバ４０と接続されたホストコンピュータ６０とを備えて構成されている。
【００４５】
ここで、ネットワーク２は、例えば、インターネット、イントラネット、エクストラネット、ＬＡＮ、ＭＡＮ、ＷＡＮ、あるいはこれらの組合せ等であり、有線であるか無線であるかは問わない。また、端末装置２０とサーバ４０とを接続する通信回線は、ネットワーク２ではなく、専用線としてもよく、サーバ４０とホストコンピュータ６０とを接続する通信回線は、専用線３ではなく、ネットワークとしてもよい。
【００４６】
端末装置２０は、例えば証券会社等の営業員（オペレータも含む。）が操作する装置であり、主としてパーソナル・コンピュータあるいはその上位機種のコンピュータ等により構成されるが、例えば、携帯電話機（ＰＨＳも含む。）や携帯情報端末（ＰＤＡ）等であってもよい。また、サーバ４０は、コンピュータにより構成され、ホストコンピュータ６０は、いわゆるメインフレームであり、大型コンピュータにより構成される。
【００４７】
ここで、端末装置２０は、営業員の所持する従業員カード等のカード５（図２参照）を挿入するカード挿入部を備え、営業員が自己のカード５をカード挿入部に挿入すると、カード５からその営業員に付与されている営業員コード（営業員識別情報）が読み取られ、その端末装置２０は、その営業員専用の端末装置となる。また、カード５の挿入ではなく、例えば、営業員が自己の営業員コードおよびパスワードを入力すると、その端末装置２０が、その営業員専用の端末装置となるようにしてもよい。従って、物理的に１台の端末装置２０が、複数の営業員のそれぞれの端末装置となり得る。なお、各営業員に端末装置２０を物理的に１台ずつ割り当ててもよい。
【００４８】
また、図１には、１台のホストコンピュータ６０に対し、１台のサーバ４０が設けられている状態が記載されているが、複数台のサーバ４０を設け、各サーバ４０にそれぞれ１台または複数台の端末装置２０を接続してもよい。
【００４９】
図１において、端末装置２０は、顧客情報の閲覧のための各種処理を行う処理手段２０Ａと、液晶ディスプレイやＣＲＴディスプレイ等の表示手段３０と、キーボードやマウス等の入力手段３１とを備えている。
【００５０】
処理手段２０Ａは、端末側顧客識別情報検索手段２１と、顧客識別情報入力受付手段２２と、端末側顧客名簿表示処理手段２３と、顧客名選択入力受付手段２４と、端末側顧客情報表示処理手段２５と、電子メール作成画面表示処理手段２６と、通話処理手段２７とを含んで構成されている。
【００５１】
端末側顧客識別情報検索手段２１は、営業員による口座コード検索用の検索キー（本実施形態では、顧客カナ名とする。）の入力を受け付け、この顧客カナ名を、ネットワーク２、サーバ４０、専用線３を介してホストコンピュータ６０のホスト側顧客識別情報検索手段６１に送信するとともに、ホスト側顧客識別情報検索手段６１による検索結果としてホストコンピュータ６０から専用線３、サーバ４０、ネットワーク２を介して送信されてくる口座コードを受信し、この口座コードを端末装置２０の表示手段３０の画面上に表示する処理を行うものである。
【００５２】
顧客識別情報入力受付手段２２は、営業員による顧客識別情報（本実施形態では、口座コード）の入力を受け付け、この口座コードをキーとする顧客情報の検索処理をホストコンピュータ６０の顧客情報検索手段６２に行わせるために、受け付けた口座コードを顧客情報検索手段６２に送る処理を行うものである。より具体的には、顧客識別情報入力受付手段２２は、端末装置２０の表示手段３０の画面上に表示された口座コードの入力用画面を用いて営業員により入力された口座コードを、ネットワーク２を介してサーバ４０へ送信し、さらにサーバ４０から専用線３を介してホストコンピュータ６０の顧客情報検索手段６２へ送信させる。なお、口座コードの入力用画面は、端末装置２０上のプログラムのみで表示してもよく、あるいは営業員による端末装置２０からの要求に応じてサーバ４０またはホストコンピュータ６０から送信されてきた口座コードの入力用画面の表示用情報に基づき、端末装置２０上のプログラム（汎用のブラウザでもよい。）で表示してもよい。また、営業員識別情報である営業員コードは、顧客識別情報入力受付手段２２により口座コードとともにサーバ４０に送信してもよく、あるいはそれ以前のアクセス時（例えば、営業員の認証時）にサーバ４０に送信してもよい。
【００５３】
端末側顧客名簿表示処理手段２３は、サーバ４０に設けられたサーバ側顧客名簿表示処理手段４２とともに、サーバ４０の顧客名簿データベース５０に記憶された顧客名簿のうち顧客情報を閲覧しようとしている営業員専用の顧客名簿を、端末装置２０の表示手段３０の画面上に表示する処理を行うものである。より具体的には、端末側顧客名簿表示処理手段２３は、端末装置２０の表示手段３０の画面上に表示されたメニュー表示区画１０１（図６参照）で営業員による自己の顧客名簿（マイ名簿）の表示要求を受け付け、この要求信号（営業員コードを含む。）をサーバ４０のサーバ側顧客名簿表示処理手段４２に送信するとともに、サーバ側顧客名簿表示処理手段４２によりサーバ４０から送信されてくる顧客名簿の情報を受信し、端末装置２０の表示手段３０の画面上に顧客名簿を表示する。この際、端末側顧客名簿表示処理手段２３は、サーバ４０から顧客名簿の情報として口座コードも受信し（本実施形態では、一例として、顧客名、住所、電話番号、電子メールアドレス、直近の検索日時を、口座コードとともに受信する。）、口座コードを含む顧客名簿の情報を端末装置２０のメモリ上に記憶保持させておくが、口座コードについては顧客名簿表示部１０３（図６参照）に表示せず、顧客名から口座コードへの自動翻訳に必要となることから内部情報としてメモリ上に記憶しておくのみである。但し、口座コードを顧客名簿表示部１０３に表示するようにしてもよい。
【００５４】
また、端末側顧客名簿表示処理手段２３は、営業員の選択操作に従って、顧客名簿表示部１０３（図６参照）に表示する顧客名簿内の顧客名の並び順を、顧客名のあいうえお順と、検索日時順とで、切り替える。なお、本実施形態では、直近の検索日時を顧客名簿表示部１０３（図６参照）に表示しているが、並び順の切替処理を行うための内部情報としてメモリ上に記憶しておくのみとし、直近の検索日時を画面表示しないようにしてもよい。
【００５５】
顧客名選択入力受付手段２４は、端末側顧客名簿表示処理手段２３により表示手段３０の画面上に表示された自己の顧客名簿を参照した営業員による顧客名簿内の顧客名の中からの閲覧対象の顧客名の選択入力を受け付け、この顧客名に対応する顧客識別情報（本実施形態では、口座コード）を顧客名簿から取得し、この口座コードをキーとする顧客情報の検索処理をホストコンピュータ６０の顧客情報検索手段６２に行わせるために、取得した口座コードを顧客情報検索手段６２に送る処理を行うものである。より具体的には、顧客名選択入力受付手段２４は、端末装置２０の表示手段３０の画面上で、営業員による顧客名簿内の顧客名の中からの閲覧対象の顧客名の選択入力を受け付け、端末装置２０上で、選択入力された顧客名を口座コードに自動翻訳し、すなわち選択入力された顧客名に対応する口座コードを、端末装置２０のメモリ上に記憶されている顧客名簿の情報から取得し、取得した口座コードを、ネットワーク２を介してサーバ４０へ送信し、さらにサーバ４０から専用線３を介してホストコンピュータ６０の顧客情報検索手段６２へ送信させる。なお、顧客名から口座コードへの自動翻訳は、端末装置２０上で行うのではなく、サーバ４０上で行ってもよい。この場合には、端末装置２０で選択入力された顧客名を、ネットワーク２を介してサーバ４０へ送信し、サーバ４０上で、その顧客名に対応する口座コードを、顧客名簿データベース５０に記憶された顧客名簿から取得し、取得した口座コードを、専用線３を介してホストコンピュータ６０の顧客情報検索手段６２へ送信する。
【００５６】
端末側顧客情報表示処理手段２５は、ホスト側顧客情報表示処理手段６３によりホストコンピュータ６０からサーバ４０を経由して送信されてくる顧客情報を受信し、端末装置２０の表示手段３０の画面上に表示する処理を行うものである。
【００５７】
電子メール作成画面表示処理手段２６は、端末側顧客名簿表示処理手段２３により顧客名簿表示部１０３（図６参照）に顧客名と対応させて表示された電子メールアドレスの選択操作（マウスによるクリック操作等）が行われたときに、この電子メールアドレスを送信先とする電子メールの作成画面（宛先のアドレスが自動設定された画面）を、表示手段３０の画面上に自動的に表示する処理を行うものである。
【００５８】
通話処理手段２７は、端末側顧客名簿表示処理手段２３により顧客名簿表示部１０３（図６参照）に顧客名と対応させて表示された電話番号の選択操作（マウスによるクリック操作等）が行われたときに、この電話番号に自動的に電話をかける処理を行うものである。
【００５９】
サーバ４０は、顧客情報の閲覧のための各種処理を行う処理手段４０Ａと、この処理手段４０Ａに接続された顧客名簿データベース５０とを備えている。
【００６０】
処理手段４０Ａは、顧客名簿作成手段４１と、サーバ側顧客名簿表示処理手段４２とを含んで構成されている。
【００６１】
顧客名簿作成手段４１は、顧客識別情報入力受付手段２２により受け付けられた顧客識別情報（本実施形態では、口座コード）をキーとする顧客情報検索手段６２による検索結果として得られた顧客情報のうち顧客名を含む一部の情報を、口座コードと対応させて、その口座コードの入力を行った営業員専用の顧客名簿への登録情報として顧客名簿データベース５０（図３参照）に記憶させる処理を行うものである。この際、登録を行う対象となる顧客名簿がいずれの営業員のものであるかは、顧客識別情報入力受付手段２２により端末装置２０からサーバ４０へ口座コードが送信されたとき、あるいはその前のアクセス段階で、既に営業員コードがサーバ４０に送信されてサーバ４０のメモリ上に記憶保持されているので、この営業員コードを用いて判断される。より具体的には、ホスト側顧客情報表示処理手段６３によりホストコンピュータ６０から送信されてくる検索結果としての顧客情報を処理手段４０Ａが受信したときに、顧客名簿作成手段４１は、処理手段４０Ａが受信した顧客情報のうち、本実施形態では、一例として、顧客名、住所、電話番号、電子メールアドレスを、口座コードと対応させて顧客名簿データベース５０に記憶させる。この際、顧客名簿作成手段４１は、口座コードと対応させて検索日時も顧客名簿データベース５０に記憶させる。なお、ホスト側顧客情報表示処理手段６３が、顧客情報のうち主として営業員による閲覧対象となる情報（例えば、残高情報、注文の約定の情報等）と、顧客情報のうち主として顧客名簿の作成に用いられる情報（例えば、口座コード、顧客名、住所、電話番号、電子メールアドレス等）とを別々に送信してくる場合には、顧客名簿作成手段４１は、後者の顧客名簿作成用の情報を受信し、顧客名簿データベース５０に記憶させる。
【００６２】
また、顧客名簿作成手段４１は、既に顧客名簿に登録されている顧客について、顧客識別情報入力受付手段２２により受け付けられた口座コードをキーとする顧客情報検索手段６２による検索処理が行われた場合、または顧客名選択入力受付手段２４により顧客名を自動翻訳して得られた口座コードをキーとする顧客情報検索手段６２による検索処理が行われた場合に、キーとされた口座コードに対応する検索日時を更新することにより、顧客名簿に登録された各顧客についての検索日時を最新の検索日時に保つ。
【００６３】
さらに、顧客名簿作成手段４１は、定期的に、またはいずれかの顧客についての検索処理が行われたときに、顧客名簿に登録された各顧客についての検索日時が、現時点から一定期間内であるか否かを判断し、現時点から一定期間内でない検索日時となっている顧客についての登録情報、すなわち直近の検索日時から一定期間が経過している顧客についての登録情報を、顧客名簿から削除する。
【００６４】
また、顧客名簿作成手段４１は、顧客名簿への登録を行う際に、顧客名簿の顧客数が一定数を超える場合には、その顧客名簿の中で検索日時が最も古い日時の顧客についての登録情報を、顧客名簿から削除する。
【００６５】
そして、本実施形態では、顧客名簿作成手段４１は、直近の検索日時から一定期間が経過している顧客についての登録情報の削除処理と、顧客名簿の顧客数が一定数を超える場合における登録情報の削除処理とを並行して行う。このため、例えば、顧客名簿に登録しておく一定期間を直近の検索日時から１週間とし、顧客名簿の顧客数の上限を１００名とすれば、顧客数が１００名を超えていなくても、直近の検索日時から１週間以上経過した顧客についての登録情報は削除し、また、追加登録を行うと顧客数が１００名を超えてしまう場合には、直近の検索日時から未だ１週間経過していない顧客についての登録情報であっても検索日時の古い順に削除する。
【００６６】
サーバ側顧客名簿表示処理手段４２は、端末側顧客名簿表示処理手段２３により端末装置２０からネットワーク２を介して送信されてくる顧客名簿の要求信号（営業員コードを含む）を受信し、顧客名簿データベース５０から、受信した営業員コードに対応する営業員専用の顧客名簿を読み込み、読み込んだ顧客名簿の情報を、ネットワーク２を介して端末装置２０へ送信する処理を行うものである。この際、サーバ側顧客名簿表示処理手段４２は、本実施形態では、一例として、顧客名、住所、電話番号、電子メールアドレス、直近の検索日時を、口座コードとともに端末装置２０へ送信する。なお、営業員が顧客名簿の表示要求を行う際に、既に営業員コードがサーバ４０に送信されてサーバ４０のメモリ上に記憶保持されている場合には、顧客名簿の要求信号に営業員コードを含ませなくてもよい。
【００６７】
また、処理手段４０Ａは、端末側顧客識別情報検索手段２１により端末装置２０からネットワーク２を介して送信されてくる口座コード検索用の検索キー（顧客カナ名）を受信し、この受信データを用いて、ホスト側顧客識別情報検索手段６１による処理を行うことができる形式の上り電文データを生成し、専用線３を介してホストコンピュータ６０へ送信するとともに、ホスト側顧客識別情報検索手段６１によりホストコンピュータ６０から専用線３を介して送信されてくる下り電文データとしての口座コードを受信し、この受信データを用いて、端末側顧客識別情報検索手段２１による処理を行うことができる形式のデータを生成し、ネットワーク２を介して端末装置２０へ送信する処理を行う。
【００６８】
さらに、処理手段４０Ａは、顧客識別情報入力受付手段２２や顧客名選択入力受付手段２４により端末装置２０からネットワーク２を介して送信されてくる口座コードを受信し、この受信データを用いて、顧客情報検索手段６２による処理を行うことができる形式の上り電文データを生成し、専用線３を介してホストコンピュータ６０へ送信するとともに、ホスト側顧客情報表示処理手段６３によりホストコンピュータ６０から専用線３を介して送信されてくる下り電文データとしての顧客情報を受信し、この受信データを用いて、端末側顧客情報表示処理手段２５による処理を行うことができる形式のデータを生成し、ネットワーク２を介して端末装置２０へ送信する処理を行う。
【００６９】
顧客名簿データベース５０は、図３に示すように、営業員Ａ専用の顧客名簿の記憶領域５０Ａ、営業員Ｂ専用の顧客名簿の記憶領域５０Ｂ、営業員Ｃ専用の顧客名簿の記憶領域５０Ｃ、…という具合に、各営業員専用の顧客名簿を個別に記憶するために、各営業員毎の記憶領域を備えている。この顧客名簿データベース５０の各営業員専用の顧客名簿を構成する各レコードには、口座コード、顧客名、住所、電話番号、電子メールアドレス、直近の検索日時が登録されて記憶されている。なお、営業員識別情報である営業員コードを各レコードに登録することにより、各営業員毎の記憶領域を形成してもよい。
【００７０】
ホストコンピュータ６０は、顧客情報の閲覧のための各種処理を行う処理手段６０Ａと、この処理手段６０Ａに接続された顧客情報データベース７０とを備えている。
【００７１】
処理手段６０Ａは、ホスト側顧客識別情報検索手段６１と、顧客情報検索手段６２と、ホスト側顧客情報表示処理手段６３とを含んで構成されている。
【００７２】
ホスト側顧客識別情報検索手段６１は、営業員により入力されて端末側顧客識別情報検索手段２１により端末装置２０からサーバ４０を経由して送信されてくる口座コード検索用の検索キー（本実施形態では、顧客カナ名とする。）を受信し、受信した顧客カナ名をキーとして顧客情報データベース７０を検索して顧客カナ名に対応する口座コードを取得するとともに、検索結果として得られた口座コードを、サーバ４０を経由して端末装置２０の端末側顧客識別情報検索手段２１へ送信する処理を行うものである。この際、同姓同名の顧客が存在するときには、検索結果として、１つの顧客カナ名に対し、複数の口座コードが得られる場合もあり、この場合には、複数の口座コードを端末装置２０へ送信する。
【００７３】
顧客情報検索手段６２は、営業員による閲覧対象となる顧客についての顧客識別情報（本実施形態では、口座コード）が与えられたときに、この口座コードをキーとして顧客情報データベース７０に記憶された顧客情報の中から、目的の顧客情報を検索する処理を行うものである。
【００７４】
ホスト側顧客情報表示処理手段６３は、顧客情報検索手段６２による検索結果として得られた顧客情報を、端末装置２０の表示手段３０の画面上に表示するために、サーバ４０を経由して端末装置２０の端末側顧客情報表示処理手段２５へ送信する処理を行うものである。なお、ホスト側顧客情報表示処理手段６３は、顧客情報のうち主として営業員による閲覧対象となる情報（例えば、残高情報、注文の約定の情報等）と、顧客情報のうち主として顧客名簿の作成に用いられる情報（例えば、口座コード、顧客名、住所、電話番号、電子メールアドレス等）とを別々にサーバ４０へ送信してもよい。
【００７５】
顧客情報データベース７０は、証券会社等の各顧客についての顧客情報を記憶するものであり、図４に示すように、顧客情報データベース７０を構成する各レコードには、顧客識別情報である口座コードと対応させて、例えば、顧客名、顧客カナ名、住所、電話番号、電子メールアドレス、残高情報、注文の約定の情報等が記憶されている。
【００７６】
以上において、端末装置２０の処理手段２０Ａの各手段２１〜２７、サーバ４０の処理手段４０Ａの各手段４１，４２、およびホストコンピュータ６０の処理手段６０Ａの各手段６１〜６３は、端末装置２０、サーバ４０、およびホストコンピュータ６０のそれぞれの内部に設けられた中央演算処理装置（ＣＰＵ）、およびこのＣＰＵの動作手順を規定する１つまたは複数のプログラムにより実現される。
【００７７】
また、サーバ４０の顧客名簿データベース５０、およびホストコンピュータ６０の顧客情報データベース７０は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【００７８】
このような本実施形態においては、以下のようにして顧客情報閲覧システム１０を用いて営業員による顧客情報の閲覧が行われる。
【００７９】
図５において、営業員は、自己の担当する顧客について１回目の顧客情報の閲覧（全く初めての閲覧に限らず、一定期間閲覧を行っていなかった顧客についての久しぶりの閲覧を含む。）を行うに際し、その顧客の口座コードが不明な場合には、先ず、端末装置２０で入力手段３１を用いて顧客カナ名を入力する。入力された顧客カナ名は、端末側顧客識別情報検索手段２１により、ネットワーク２を介してサーバ４０へ送信され（ステップＳ１）、さらにサーバ４０から専用線３を介してホストコンピュータ６０へ送信され（ステップＳ２）、ホスト側顧客識別情報検索手段６１により受信される（ステップＳ３）。
【００８０】
続いて、ホスト側顧客識別情報検索手段６１により、受信した顧客カナ名をキーとして顧客情報データベース７０の検索が行われ、受信した顧客カナ名に対応する口座コード、顧客名、住所等が得られる（ステップＳ４）。これらの検索結果として得られた口座コード、顧客名、住所等は、ホスト側顧客識別情報検索手段６１により、専用線３を介してサーバ４０へ送信され（ステップＳ５）、さらにサーバ４０からネットワーク２を介して端末装置２０へ送信され（ステップＳ６）、端末側顧客識別情報検索手段２１により受信され、端末装置２０の表示手段３０の画面上に表示される（ステップＳ７）。
【００８１】
営業員は、表示手段３０の画面上に表示された口座コードを参照することにより、顧客情報の閲覧を行いたい自己の顧客についての口座コードを把握することができるが、同姓同名の顧客が存在し、複数の口座コードが表示されている場合には、口座コード以外の情報、例えば住所等を参照することにより、閲覧対象の顧客についての口座コードを特定する（ステップＳ８）。
【００８２】
それから、営業員は、端末装置２０で入力手段３１を用いて口座コードを入力する。入力された口座コードは、顧客識別情報入力受付手段２２により、ネットワーク２を介してサーバ４０へ送信され（ステップＳ９）、さらにサーバ４０から専用線３を介してホストコンピュータ６０へ送信され（ステップＳ１０）、顧客情報検索手段６２により受信される（ステップＳ１１）。
【００８３】
続いて、顧客情報検索手段６２により、受信した口座コードをキーとして顧客情報データベース７０の検索が行われ、受信した口座コードに対応する顧客情報が得られる（ステップＳ１２）。検索結果として得られる顧客情報は、例えば、口座コード、顧客名、住所、電話番号、電子メールアドレス、残高情報、注文の約定の情報等であり、これらの顧客情報は、ホスト側顧客情報表示処理手段６３により、専用線３を介してサーバ４０へ送信される（ステップＳ１３）。
【００８４】
そして、サーバ４０では、処理手段４０Ａにより顧客情報を受信すると（ステップＳ１４）、受信した顧客情報を、端末装置２０の端末側顧客情報表示処理手段２５による処理を行うことができるデータ形式に変換した後、ネットワーク２を介して端末装置２０へ送信する（ステップＳ１５）。また、顧客名簿作成手段４１により、受信した顧客情報のうち顧客名を含む一部の情報（本実施形態では、一例として、口座コード、顧客名、住所、電話番号、電子メールアドレスとする。）を、検索日時とともに、アクセス中の営業員専用の顧客名簿へ追加登録して顧客名簿データベース５０（図３参照）に記憶させる（ステップＳ１６）。この際、アクセス中の営業員専用の顧客名簿の把握は、ステップＳ１またはステップＳ９の送信時、あるいはそれ以前のアクセス時（例えば、営業員の認証時等）にサーバ４０に送信されてサーバ４０のメモリ上に記憶保持されている営業員コードを用いて行われる。
【００８５】
さらに、顧客名簿作成手段４１は、アクセス中の営業員専用の顧客名簿への追加登録を行う際に、その顧客名簿の顧客数が、追加登録を行うことで一定数を超えてしまうか否かを判断し、一定数を超える場合には、検索日時の最も古い顧客についての登録情報を、その顧客名簿から削除する。
【００８６】
一方、端末装置２０では、端末側顧客情報表示処理手段２５により顧客情報が受信されると、表示手段３０の画面上のコンテンツ表示区画１０６に顧客情報（例えば、残高情報、注文の約定の情報等）が表示されるので（ステップＳ１７）、営業員は、この顧客情報を閲覧する（ステップＳ１８）。
【００８７】
次に、営業員が、２回目の顧客情報の閲覧を行う場合（例えば、１回目の検索から何時間か経過後、あるいは翌日、翌々日等、１回目の検索から一定期間内に、同じ営業員が、再び、同じ顧客について閲覧を行う場合）には、表示手段３０の画面上に表示されたメニュー表示区画１０１（図６参照）で、入力手段３１であるマウスを用いて「マイ名簿」選択部１０２をクリックすると、端末側顧客名簿表示処理手段２３により、端末装置２０からネットワーク２を介してサーバ４０へ顧客名簿の要求信号（営業員コードを含む。）が送信される（ステップＳ１９）。なお、営業員コードは、より以前のアクセス時（例えば、営業員の認証時等）に既にサーバ４０へ送信されてサーバ４０のメモリ上に記憶保持されている場合には、顧客名簿の要求信号に含ませて送信しなくてもよい。
【００８８】
サーバ４０では、サーバ側顧客名簿表示処理手段４２により、顧客名簿の要求信号を受信すると（ステップＳ２０）、顧客名簿データベース５０から営業員コードに対応する顧客名簿、すなわちアクセス中の営業員専用の顧客名簿の情報（本実施形態では、一例として、口座コード、顧客名、住所、電話番号、電子メールアドレス、直近の検索日時とする。）を読み込み（ステップＳ２１）、この顧客名簿の情報をネットワーク２を介して端末装置２０へ送信する（ステップＳ２２）。
【００８９】
端末装置２０では、端末側顧客名簿表示処理手段２３により、顧客名簿の情報を受信し、表示手段３０の画面上のメニュー表示区画１０１に、図６に示すような顧客名簿表示部１０３を表示する（ステップＳ２３）。この顧客名簿表示部１０３には、アクセス中の営業員の担当する顧客についての顧客名、住所、電話番号、電子メールアドレス、直近の検索日時が、各顧客毎に表示される。なお、図６の例では、口座コードは、画面表示されていないが、端末装置２０のメモリ上に記憶保持されている。また、顧客名簿表示部１０３には、顧客名の表示の並び順を、顧客名のあいうえお順にするための「あいうえお順」ボタン１０４と、検索日時順にするための「検索日時順」ボタン１０５とが設けられている。いずれかの表示方法を予め既定の表示方法として設定しておくことができる。
【００９０】
それから、図６の顧客名簿表示部１０３において、営業員が、入力手段３１であるマウスを用いて、顧客情報を参照したい顧客についての顧客名の表示部分をクリックして選択すると（ステップＳ２４）、顧客名選択入力受付手段２４により、端末装置２０のメモリ上に記憶保持されている顧客名簿の情報を用いて、顧客名から口座コードへの自動翻訳、すなわち営業員が選択した顧客名に対応する口座コードの取得が行われる。そして、得られた口座コードは、顧客名選択入力受付手段２４により、ネットワーク２を介してサーバ４０へ送信され（ステップＳ２５）、さらにサーバ４０から専用線３を介してホストコンピュータ６０へ送信され（ステップＳ２６）、顧客情報検索手段６２により受信される（ステップＳ２７）。なお、ステップＳ２４において、図６の顧客名簿表示部１０３に表示された自己の顧客名簿の中に、目的の顧客名が無い場合には、その顧客の口座コードがわかるとき（例えば、営業員が覚えているか、メモしているとき等）には、ステップＳ９の処理に戻り、その顧客の口座コードがわからないときには、ステップＳ１の処理に戻る。
【００９１】
続いて、顧客情報検索手段６２により、ステップＳ１２の処理と同様に、受信した口座コードをキーとして顧客情報データベース７０の検索が行われ、受信した口座コードに対応する顧客情報が得られる（ステップＳ２８）。検索結果として得られた顧客情報は、ステップＳ１３の処理と同様に、ホスト側顧客情報表示処理手段６３により、専用線３を介してサーバ４０へ送信される（ステップＳ２９）。
【００９２】
そして、サーバ４０では、ステップＳ１４，Ｓ１５の処理と同様に、処理手段４０Ａにより顧客情報を受信すると（ステップＳ３０）、受信した顧客情報を、端末装置２０の端末側顧客情報表示処理手段２５による処理を行うことができるデータ形式に変換した後、ネットワーク２を介して端末装置２０へ送信する（ステップＳ３１）。また、顧客名簿作成手段４１により、アクセス中の営業員専用の顧客名簿を更新登録して顧客名簿データベース５０（図３参照）に記憶させる（ステップＳ３２）。この際、ステップＳ２４において図６の顧客名簿表示部１０３に表示された自己の顧客名簿の中から顧客名の選択入力が行われている場合には、既にその顧客については顧客名簿に登録されて顧客名簿データベース５０に記憶されているので、その顧客についての登録情報（受信した顧客情報に含まれる口座コードに対応する登録情報）のうち、検索日時を新たな検索日時に更新する処理を行う。
【００９３】
一方、端末装置２０では、ステップＳ１７，Ｓ１８の処理と同様に、端末側顧客情報表示処理手段２５により顧客情報が受信されると、表示手段３０の画面上のコンテンツ表示区画１０６に顧客情報（例えば、残高情報、注文の約定の情報等）が表示されるので（ステップＳ３３）、営業員は、この顧客情報を閲覧する（ステップＳ３４）。
【００９４】
また、営業員は、コンテンツ表示区画１０６に表示された残高情報、注文の約定の情報等の顧客情報を参照して把握し、この顧客情報について顧客への報告を行う際には、ステップＳ２３において表示されてそのまま画面上に残っている図６の顧客名簿表示部１０３で、入力手段３１であるマウスを用いて、電話で連絡を取りたい顧客の電話番号の表示部分をクリックする。すると、通話処理手段２７により、その顧客に自動的にダイヤルアップされ、営業員は、コンテンツ表示区画１０６に表示された顧客情報を参照しながら、顧客への電話による報告を行うことができる。さらに、図６の顧客名簿表示部１０３で、営業員が、入力手段３１であるマウスを用いて、電子メールを送信したい顧客の電子メールアドレスの表示部分をクリックすると、電子メール作成画面表示処理手段２６により、表示手段３０の画面上に、その顧客のアドレスを宛先とする電子メール作成画面が自動的に表示され（例えば、別のウィンドウが自動的に開かれる等）、営業員は、コンテンツ表示区画１０６に表示された顧客情報を参照しながら、顧客への報告用の電子メールを作成することができる。
【００９５】
その後、営業員が、３回目以降の顧客情報の閲覧を行う場合も同様であり、ステップＳ１９〜Ｓ３４の処理を繰り返す。この際、ステップＳ２４において、図６の顧客名簿表示部１０３に表示された自己の顧客名簿の中に、目的の顧客名が無い場合には、その顧客の口座コードがわかるとき（例えば、営業員が覚えているか、メモしているとき等）には、ステップＳ９の処理に戻り、その顧客の口座コードがわからないときには、ステップＳ１の処理に戻る。
【００９６】
また、サーバ４０では、以上のステップＳ１〜Ｓ３４の処理と並行して、顧客名簿作成手段４１により、顧客名簿データベース５０に記憶されている全ての営業員の顧客名簿の中の全ての顧客についての登録情報のうちの検索日時を、例えば毎日、毎時間等のように定期的にチェックし、直近の検索日時から一定期間（例えば１週間等）以上経過した顧客についての登録情報、すなわち顧客名簿への登録情報として顧客名簿データベース５０に記憶されている検索日時が、現時点から一定期間内にない顧客についての登録情報を削除する。
【００９７】
このような本実施形態によれば、次のような効果がある。すなわち、顧客情報閲覧システム１０では、営業員が、一旦、口座コードを入力して顧客情報データベース７０の検索を行い、顧客情報を閲覧すれば、その顧客の顧客名と口座コードとが、その営業員専用の顧客名簿に登録されて顧客名簿データベース５０に記憶されるので、次回からは、営業員は、口座コードを入力しなくても、表示手段３０の画面上に表示された自己の顧客名簿内の顧客名の中から閲覧対象の顧客名を選択することでその顧客の顧客情報を閲覧することができる。
【００９８】
このため、口座コードがわからなくても、顧客カナ名を入力して口座コードを検索する作業を行う必要がなくなり、また、付箋紙に口座コードを書いて端末装置２０に貼り付けたり、自分のノートに口座コードを書き留めておく等の作業を行う必要もなくなるので、自己の顧客についての顧客情報を閲覧するにあたり、顧客情報データベース７０へのアクセス時間を短縮することができ、顧客に対して迅速な応対をすることができるうえ、営業員の手間を軽減することができ、システムの使い勝手の向上を図ることができる。
【００９９】
また、顧客名簿作成手段４１は、現時点から一定期間内でない検索日時となっている顧客についての登録情報を顧客名簿から削除する構成とされているので、顧客情報を閲覧する必要のなくなった顧客、または閲覧する可能性の少なくなった顧客についての登録情報を、その顧客を担当する営業員専用の顧客名簿から削除することができる。このため、顧客名簿内の顧客名の数を適宜な数に保つことができるので、顧客名簿内の顧客名の中から目的の顧客名を選択する作業を容易に行うことができ、アクセス時間をより短縮することができるうえ、顧客名簿データベース５０の記憶容量を小さく抑えることができる。従って、証券会社等の営業員とこの営業員が担当する任意の１人の顧客とのやりとりが、比較的、ある一定期間内に集中するという事情や、営業員の応対すべき顧客が、期間の経過とともに移り変わっていくという事情等を考慮したシステム運用を図ることができる。
【０１００】
さらに、顧客名簿作成手段４１は、顧客名簿の顧客数が一定数を超えたときに、検索日時が最も古い日時の顧客についての登録情報を顧客名簿から削除する構成とされているので、この点でも、顧客名簿内の顧客名の数を適宜な数に保つことができるため、上述した現時点から一定期間内でない検索日時となっている顧客についての登録情報を顧客名簿から削除する処理で得られる効果と同様な効果を得ることができる。
【０１０１】
そして、端末側顧客名簿表示処理手段２３およびサーバ側顧客名簿表示処理手段４２により図６の顧客名簿表示部１０３に表示される顧客名簿には、顧客名とともに住所も表示されるので、営業員は、顧客名の選択入力を行うに際し、顧客名と合わせて住所も参照することができる。このため、営業員は、顧客名と住所とを関連付けながら記憶していることがあるので、閲覧対象としたい顧客を、容易に特定することができるうえ、同姓同名の顧客が存在する場合でも、住所を参照することで目的の顧客名を容易に特定することができる。従って、顧客情報データベース７０へのアクセス時間を、より一層短縮することができる。
【０１０２】
また、顧客情報閲覧システム１０は、電子メール作成画面表示処理手段２６を備えているので、顧客へ送信する電子メールの作成を容易に行うことができ、例えば、顧客情報を閲覧後に、閲覧した内容を電子メールで顧客に報告する作業を容易に行うことができる。このため、営業員の手間を、より一層軽減することができる。
【０１０３】
さらに、顧客情報閲覧システム１０は、通話処理手段２７を備えているので、顧客に電話をかける作業を容易に行うことができ、例えば、顧客情報を閲覧後に、閲覧した内容を電話で顧客に報告する作業を容易に行うことができる。このため、営業員の手間を、より一層軽減することができる。
【０１０４】
そして、端末側顧客名簿表示処理手段２３は、営業員の選択操作に従って、顧客名簿内の顧客名の並び順を、顧客名のあいうえお順と検索日時順とで切替表示可能な構成とされているので、営業員は、目的の顧客名の選択入力を迅速に行うことができ、アクセス時間を、より一層短縮することができる。例えば、昨日、応対した顧客、一昨日、応対した顧客という具合に、時間的な記憶を頼りに目的の顧客名を探すのが得意な営業員は、検索日時順に表示し、あいうえお順の後半の方の顧客、前半の方の顧客、真ん中当たりの顧客という具合に、場所的な記憶を頼りに目的の顧客名を探すのが得意な営業員は、あいうえお順に表示すれば、効率的な選択作業を行うことができる。
【０１０５】
なお、本発明は前記実施形態に限定されるものではなく、本発明の目的を達成できる範囲内での変形等は本発明に含まれるものである。
【０１０６】
すなわち、前記実施形態では、顧客名簿データベース５０および顧客名簿作成手段４１がサーバ４０に設けられていたが、これらをホストコンピュータ６０に設けてもよく、この場合には、顧客名簿表示処理手段を、端末側顧客名簿表示処理手段とホスト側顧客名簿表示処理手段とにより構成し、端末側顧客名簿表示処理手段が、端末装置２０で営業員による顧客名簿の表示要求を受け付け、この要求信号（営業員コードを含む）をサーバ４０を経由させてホストコンピュータ６０へ送信するとともに、ホストコンピュータ６０からサーバ４０を経由して送信されてくる顧客名簿の情報を受信し、表示手段３０の画面上に顧客名簿を表示する処理を行い、ホスト側顧客名簿表示処理手段が、端末装置２０からサーバ４０を経由して送信されてくる顧客名簿の要求信号を受信し、ホストコンピュータ６０に設けられた顧客名簿データベース５０から顧客名簿を読み込み、読み込んだ顧客名簿の情報を、ホストコンピュータ６０からサーバ４０を経由させて端末装置２０へ送信する処理を行うようにすればよい。
【０１０７】
また、顧客名簿データベース５０および顧客名簿作成手段４１を端末装置２０に設けてもよい。なお、この場合において、前記実施形態のようにカード５（図２参照）を挿入したコンピュータを自己の端末装置２０として使用する構成とするのであれば、顧客名簿データベース５０のデータ管理上の観点や営業員の利便性向上の観点から、各営業員は、自己の端末装置２０として使用するコンピュータを固定的にすること、すなわち物理的に同じコンピュータを使用することが好ましい。
【０１０８】
さらに、前記実施形態では、顧客情報閲覧システム１０は、端末装置２０と、サーバ４０と、ホストコンピュータ６０とにより構成されていたが、本発明の顧客情報閲覧システムは、端末装置２０とホストコンピュータ６０との間にこれらを中継するサーバ４０を設置しない構成としてもよく、この場合には、端末装置２０とホストコンピュータ６０とのいずれの側に顧客名簿データベースを設けてもよい。また、メインフレームによるホストコンピュータを使用した大規模な顧客情報管理ではなく、比較的小規模の顧客情報管理を行う場合には、本発明の顧客情報閲覧システムは、通常のサーバ・クライアント型の構成としてもよく、この場合には、サーバとクライアント端末装置とのいずれの側に顧客名簿データベースを設けてもよい。さらに、より小規模な顧客情報管理を行う場合には、本発明の顧客情報閲覧システムは、１台のコンピュータによるスタンドアロン型の構成としてもよい。
【産業上の利用可能性】
【０１０９】
以上のように、本発明の顧客情報閲覧システムおよび顧客情報提示方法、並びにプログラムは、例えば、証券会社や証券仲介業を営む金融機関の営業員が顧客情報を閲覧する場合等に用いるのに適している。
【図面の簡単な説明】
【０１１０】
【図１】本発明の一実施形態の顧客情報閲覧システムの全体構成図。
【図２】前記実施形態の顧客情報閲覧システムの構成を信号処理の流れやデータの流れとともに示す図。
【図３】前記実施形態の顧客名簿データベースの構造を示す図。
【図４】前記実施形態の顧客情報データベースの構造を示す図。
【図５】前記実施形態の顧客情報閲覧システムにより顧客情報の閲覧を行う際の処理の流れを示すフローチャートの図。
【図６】前記実施形態の閲覧処理に伴う画面の例示図。
【符号の説明】
【０１１１】
２  通信回線であるネットワーク
３  通信回線である専用線
１０  顧客情報閲覧システム
２０  端末装置
２２  顧客識別情報入力受付手段
２３  顧客名簿表示処理手段を構成する端末側顧客名簿表示処理手段
２４  顧客名選択入力受付手段
２５  顧客情報表示処理手段を構成する端末側顧客情報表示処理手段
２６  電子メール作成画面表示処理手段
２７  通話処理手段
４０  サーバ
４１  顧客名簿作成手段
４２  顧客名簿表示処理手段を構成するサーバ側顧客名簿表示処理手段
５０  顧客名簿データベース
６０  ホストコンピュータ
６２  顧客情報検索手段
６３  顧客情報表示処理手段を構成するホスト側顧客情報表示処理手段
７０  顧客情報データベース
【図１】
0004805623.tif 000002
【図２】
0004805623.tif 000003
【図３】
0004805623.tif 000004
【図４】
0004805623.tif 000005
【図５】
0004805623.tif 000006
【図６】
0004805623.tif 000007